(57)【要約】      （修正有）【課題】冷凍時の品質低下を抑制すると共に、冷凍時間を短縮できる食材処理装置及び食材処理ユニットを提供する。【解決手段】食材２を収容する収容空間１２に冷風Ｙを供給する冷風供給装置１４と、収容空間１２にマイナスイオンＺを供給するマイナスイオン発生装置３１とを有する食材処理装置１に、食材２に含まれる水分と共振する低音波Ｘを収容空間１２に発生させる低音波発生源３２を設ける。【選択図】図１
2017062057.tif 000002
【特許請求の範囲】
【請求項１】
食材を収容する収容空間に冷風を供給する冷風供給装置と、前記収容空間にマイナスイオンを供給するマイナスイオン発生装置とを有する食材処理装置において、
前記食材に含まれる水分と共振する低音波を前記収容空間に発生させる低音波発生源を有すること、
を特徴とする食材処理装置。
【請求項２】
請求項１に記載する食材処理装置において、
前記低音波の周波数が５ヘルツ以上１００ヘルツ以下であること
を特徴とする食材処理装置。
【請求項３】
食材処理装置の収容空間に着脱自在に取り付けられること、
マイナスイオンを発生するマイナスイオン発生装置と、食材に含まれる水分と共振する低音波を発生させる低音波発生源とを有すること
を特徴とする食材処理ユニット。
【発明の詳細な説明】
【技術分野】
【０００１】
本発明は、食材を収容する収容空間に冷風を供給する冷風供給装置と、マイナスイオンを発生するマイナスイオン発生装置とを有する食材処理装置及び食材処理ユニットに関する。
【背景技術】
【０００２】
例えば、冷凍庫は、肉や魚や生鮮野菜等の食材を収容する収容空間に、例えば−４０℃の冷風を供給して収容空間の内部温度を所定の冷凍温度に維持する。近年、マイナスイオンの抗菌性や除菌性に着目し、マイナスイオンを収容空間に循環させる冷凍庫が市場に出回っている。
【０００３】
例えば、特許文献１には、冷凍や解凍をする場合に食材の劣化を防止するために、マイナスイオンを食材の内部に浸透させる方法が記載されている。具体的には、食材を載せるトレイや収容空間の内壁に負電圧印加装置を接続し、トレイや収容空間の内壁に負電圧を印加することにより、収容空間の内部で負電圧とマイナスイオンを反発させ、その反発力によりマイナスイオンを食材の内部に浸透させる。また、収容空間の内壁に設置された超音波照射装置から収容空間の空気を介して食材に超音波を照射し、マイナスイオンや食材を超音波振動させることで、マイナスイオンを食材の内部に浸透させる。
【先行技術文献】
【特許文献】
【０００４】
【特許文献１】特許第５５９６８１８号公報
【発明の概要】
【発明が解決しようとする課題】
【０００５】
しかしながら、従来の食材処理装置は、マイナスイオンのみで食材を冷凍する場合より、変色やドリップ発生量を抑制して食材の品質を維持できると共に、冷凍時間を短縮できていたが、更に、これらの効果を向上させることが望まれている。
【０００６】
本発明は、上記問題点を解決するものであり、冷凍時の品質低下を抑制すると共に、冷凍時間を短縮できる食材処理装置及び食材処理ユニットを提供することを目的とする。
【課題を解決するための手段】
【０００７】
本発明の一態様は、次のような構成を有している。
（１）食材を収容する収容空間に冷風を供給する冷風供給装置と、前記収容空間にマイナスイオンを供給するマイナスイオン発生装置とを有する食材処理装置において、前記食材に含まれる水分と共振する低音波を前記収容空間に発生させる低音波発生源を有すること、を特徴とする。
【０００８】
発明者は、低音波とマイナスイオンを収容空間内で発生しながら冷風を収容空間に供給し、収容空間に収容される食材を冷凍する場合と、超音波とマイナスイオンを収容空間内で発生しながら冷風を収容空間に供給し、収容空間に収容される食材を冷凍する場合について、冷凍時間を測定した。その結果、前者は、後者より食材を短時間で冷凍できた。また、前者は、後者より食材の変色が抑制された。変色は、冷凍時に食材の細胞が破壊されて色成分を流出させることにより生じるので、変色が抑制されることは、食材の品質が維持されていることを意味する。更に、発明者は、低音波とマイナスイオンを発生しながら冷凍した食材と、超音波とマイナスイオンを発生しながら冷凍した食材をそれぞれ自然解凍する実験を行った。その結果、前者は後者よりドリップ発生量が抑制された。ドリップは、食材の破壊された細胞から流出するうま味成分や色成分を含んでおり、ドリップが抑制されることは、冷凍前の食材の品質が維持されていることを意味する。よって、上記構成によれば、超音波照射しながら食材を冷凍する場合より、冷凍時の品質低下を抑制すると共に、冷凍時間を短縮できることが、実験により裏付けられた。
【０００９】
この理由を発明者は次のように考えている。
低音波は、超音波より音圧が高い。そのため、低音波は、超音波より、食材の表面から深い位置にある水分まで届き、食材の広範囲において水分と共振する。この水分の振動は、食材の中心部へ向かって伝播する。そのため、冷風の熱が食材の中心部に伝わりやすく、冷凍効率が向上される。
また、冷凍効率が良いので、食材に含まれる水分が短時間で氷結し、氷結晶が大きくなりにくい。これに加え、食材に含まれるほぼ全ての水分が、低音波と共振し、水分子同士の結合を分断されて細分化されるので、氷結晶が大きくなりにくい。よって、食材の細胞は、その周りに位置する水分の氷結晶に破壊されにくく、変色やドリップ発生量が抑制される。
【００１０】
これに対して、超音波は、低音波に比べて音圧が低いので、食材の表面付近までしか届かない。そのため、食材は、表面付近の水分しか超音波と共振せず、その振動が中心部の水分に伝わりにくい。よって、超音波により食材を振動させても、冷風の熱が食材の中心部に伝わりにくく、冷凍効率が悪い。
また、冷凍効率が悪いことにより、食材の中心部付近に存在する水分は、氷結に時間がかかり、氷結晶を大きくしやすい。これに加え、食材は、中心部付近に存在する水分が十分に振動せず、水分子同士の結合を細かく分断しないため、氷結晶が大きくなる。よって、食材の細胞は、大きい氷結晶に圧迫されて破壊される。この細胞破壊により、食材は、色味成分やうま味成分が細胞から流出し、冷凍時に変色したり、解凍時にドリップを生じやすくなる。
【００１１】
（２）（１）に記載する構成において、前記低音波の周波数が５ヘルツ以上１００ヘルツ以下であることが好ましい。
【００１２】
食材は、例えば肉や魚であれば６割〜７割の水分を含み、青果であれば７割〜８割の水分を含む。この食材に含まれる水分は、アミノ酸やミネラル等の栄養素を含む。そのため、食材に含まれる水分の固有振動数は、水分に含まれる栄養素の種類や量によって異なる。大半の食材に含まれる水分の固有振動数は、５ヘルツ以上１００ヘルツ以下の範囲に収まる。そこで、上記構成のように、低音波発生源が発生する低音波の周波数が５ヘルツ以上１００ヘルツ以下の場合には、大半の食材に含まれる水分を低音波と共振させることができる。
【００１３】
（３）本発明の食材処理ユニットは、食材処理装置の収容空間に着脱自在に取り付けられること、マイナスイオンを発生するマイナスイオン発生装置と、食材に含まれる水分と共振する低音波を発生させる低音波発生源とを有することを特徴とする。
【００１４】
上記構成によれば、既存の冷凍庫や解凍庫の収容空間に食材処理ユニットを取り付ければ、上記食材処理装置と同様の作用効果を既存の冷凍庫や解凍庫に安価に付加できる。
【発明の効果】
【００１５】
よって、本発明によれば、冷凍時の品質低下を抑制すると共に、冷凍時間を短縮できる食材処理装置及び食材処理ユニットを提供することができる。
【図面の簡単な説明】
【００１６】
【図１】本発明の実施形態に係る食材処理装置の概略構成図である。
【図２】低音波が食材に伝播する状態を示す図である。
【図３】冷凍前の食材における細胞の状態を示す図である。
【図４】図１に示す食材処理装置を用いて冷凍した食材の細胞の状態を示す図である。
【図５】マイナスイオンと低音波を発生しながら食材を冷凍する場合と、マイナスイオンと超音波を発生しながら食材を冷凍する場合と、マイナスイオンのみを発生しながら食材を冷凍する場合について、一定時間毎に測定した食材の中心温度（℃）と収容空間の庫内温度（℃）を示す表である。
【図６】超音波を照射しながら冷凍した食材の細胞の状態を示す図である。
【発明を実施するための形態】
【００１７】
以下に、本発明に係る食材処理装置及び食材処理ユニットの実施形態について図面に基づいて説明する。図１に、本発明に係る食材処理装置１の概略構成図を示す。図２に、低音波Ｘが食材２に伝播する状態を示す。図３に、冷凍前の食材２における細胞２１の状態を示す図である。図４に、図１に示す食材処理装置１を用いて冷凍した食材２の細胞２１の状態を示す。図５は、マイナスイオンＺと低音波Ｘを発生しながら食材２を冷凍する場合と、マイナスイオンＺと超音波を照射しながら食材２を冷凍する場合と、マイナスイオンＺのみを発生しながら食材２を冷凍する場合について、一定時間毎に測定した食材２の中心温度（℃）と収容空間１２の庫内温度（℃）とを示す表である。図６に、超音波を照射しながら冷凍した食材２の細胞の状態を示す。
【００１８】
＜食材処理装置１及び食材処理ユニット３の概略構成＞
図１に示す食材処理装置１は、例えば食材２の流通過程における冷凍工程や運搬工程や解凍工程や保存工程に使用され、食材２の冷凍や解凍、保冷を行う。食材処理装置１は、筐体１１の内部に、食材２を収容する収容空間１２が形成されている。収容空間１２には、食材２を設置するための設置部１３が設けられている。食材処理装置１は、収容空間１２に冷風Ｙを供給する冷風供給装置１４を備える。収容空間１２の内壁には、食材処理ユニット３がマグネットや接着剤等により着脱自在に取り付けられている。
【００１９】
食材処理ユニット３は、マイナスイオン発生装置３１と低音波発生源３２が収容ボックス３０に収容されている。マイナスイオン発生装置３１と低音波発生源３２は、接続配線３３を介して図示しない電源に接続されている。
【００２０】
マイナスイオン発生装置３１は、マイナスイオンＺを発生するものである。食材処理ユニット３は、冷風供給装置１４の前方に設置され、冷風供給装置１４が吹き出す冷風Ｙに向かって、マイナスイオン発生装置３１が発生したマイナスイオンＺを供給する。
低音波発生源３２は、食材２に含まれる水分２２と共振する低音波Ｘを発生させるものであり、市販のオーディオスピーカで構成されている。市販のオーディオスピーカは小型なので、後付けする場合でも収容空間１２を広く確保できる。このオーディオスピーカは、周波数を広範囲で調整できるようになっている。低音波Ｘの周波数は、大半の食材に含まれる水分の固有振動数を含む５ヘルツ以上１００ヘルツ以下にすることが好ましい。
【００２１】
＜動作説明：冷凍動作の説明＞
次に、食材処理装置１の動作を説明する。まず、冷凍動作について説明する。
冷風供給装置１４は、例えば−４０℃の冷風Ｙを収容空間１２に供給する。このとき、マイナスイオン発生装置３１が、マイナスイオンＺを発生し、そのマイナスイオンＺが冷風Ｙと共に収容空間１２に循環する。マイナスイオンＺは、収容空間１２の空気を除菌や消臭する。また、マイナスイオンＺは、食材２に接触して食材２の酸化や腐敗を防止する。これと同時に、食材処理装置１は、低音波発生源３２が、低音波Ｘを発生し、マイナスイオンＺや食材２を低音波Ｘと共振させる。図２に示すように、食材２は、低音波Ｘが表面２３から深部に位置する水分２２に伝わって、これらの水分２２を共振させる。その振動は、食材２の中心部２４に伝達される。よって、冷風Ｙのマイナスカロリーが食材２の中心部２４に伝わりやすく、冷凍時間が短縮される。また、図４に示すように、食材２は、食材２の中心部に位置する細胞２１が水分２２の氷結晶２２０によって破壊されにくく、変色が抑制される。更に、食材２は、低音波Ｘと共振することにより、マイナスイオンＺが表面２３から中心部２４へ浸透して細胞２１を包み、細胞２１の酸化が防止される。
【００２２】
＜解凍動作の説明＞
次に、上記のように冷凍した食材２を解凍する動作を説明する。
冷風供給装置１４は、収容空間１２に−数℃の冷風Ｙを供給する。このとき、マイナスイオン発生装置３１が、マイナスイオンＺを発生し、そのマイナスイオンＺが冷風Ｙと共に収容空間１２に循環する。またこのとき、低音波発生源３２が、低音波Ｘを発生し、マイナスイオンＺや食材２を低音波Ｘと共振させる。冷凍された食材２は、低音波Ｘと共振する状態で冷風Ｙからプラスカロリーを加えられ、短時間で解凍される。食材２は、冷凍時と同様にマイナスイオンＺが表面２３から中心部２４に浸透して細胞２１を保護するため、細胞２１の酸化が防止されると共に、うま味やまろやかさなどが向上する。解凍された食材２は、ドリップの量が少なく、冷凍前の色成分やうま味成分等の品質が維持される。
【００２３】
＜保冷動作の説明＞
次に、食材２を保冷する動作を説明する。
冷風供給装置１４は、収容空間１２に０℃から数℃の冷風Ｙを供給する。食材２は、低音波Ｘと共振する状態で冷風Ｙと熱交換し、保冷される。また、食材２は、マイナスイオンＺが浸透して細胞２１を保護するため、細胞２１の酸化や劣化が防止されるとともに、うま味やまろやかさが向上する。
【００２４】
＜複数の食材からなる食品を冷凍又は解凍する場合について＞
ところで、例えば、弁当やケーキ等の食品は、様々な食材２を組み合わせて作られている。５ヘルツ以上１００ヘルツ以下の周波数は、大半の食材２に含まれる水分２２の固有振動数を含む。そのため、本実施形態の食材処理装置１は、低音波発生源３２が５ヘルツ以上１００ヘルツ以下の低音波を発生するため、様々な食材２で作られた食品でも、均一に冷凍したり、解凍したり、保冷したりでき、冷凍時間や解凍時間を短縮できる。また、マイナスイオンＺを食品に均一に浸透させ、食品の品質を維持若しくは向上させることができる。
【００２５】
＜食材処理装置１及び食材処理ユニット３の作用効果について＞
以上説明したように、本実施形態の食材処理装置１は、食材２を収容する収容空間１２に冷風Ｙを供給する冷風供給装置１４と、収容空間１２にマイナスイオンＺを供給するマイナスイオン発生装置３１とを有する食材処理装置１において、食材２に含まれる水分２２と共振する低音波Ｘを収容空間１２に発生させる低音波発生源３２を有すること、を特徴とする。
【００２６】
発明者は、マイナスイオンＺと低音波Ｘを発生しながら食材２を冷凍する場合（以下「実験１」という。）と、マイナスイオンＺと超音波照射しながら食材２を冷凍する場合（以下「実験２」という。）について、食材２の中心温度（℃）と、庫内温度（℃）を、所定時間毎に測定する実験を行った。実験１，２では、肉厚がある鶏モモ肉を食材２の一例とした。鶏モモ肉は、それぞれ１００ｇとし、肉厚を２．５ｃｍとした。実験１では、マイナスイオンＺを発生しながら−４０℃の冷風Ｙを収容空間１２に供給して収容空間１２を−３０℃以下に冷却した状態で、５．２７ヘルツの低音波Ｘを収容空間１２に発生させ、鶏モモ肉を収容空間１２に設置した。そして、５分毎に鶏モモ肉の中心温度と収容空間１２の庫内温度を測定した。実験２は、低音波Ｘに変えて４０キロヘルツの超音波を照射する点を除き、実験１と同様に行った。この実験の結果を図５に示す。尚、５分間隔で測定したデータを全て記載すると表が見難くなるので、図５には、主に１０分間隔で測定したデータを記載する。
【００２７】
伝熱効率は、温度差が大きいほど、高い。そこで、鶏モモ肉の温度と冷風Ｙの温度との差が最も大きい実験開始から１０分経過後の中心温度と庫内温度を比較する。
【００２８】
図５に示すように、実験１では、実験開始から１０分経過する間に、庫内温度が実験開始時の庫内温度より２℃上昇し、鶏モモ肉の中心温度が１６．７℃低くなった。
実験２では、実験開始後、実験開始から１０分経過する間に、庫内温度が実験開始時の庫内温度より２℃低下すると共に、鶏モモ肉の中心温度が１３．２℃低くなった。
【００２９】
このように、実験１は、庫内温度が上昇し、実験２より中心温度の降下率が高い。よって、低音波Ｘを発生しながら鶏モモ肉を冷凍すると、超音波照射しながら鶏モモ肉を冷凍する場合より、冷風Ｙのマイナスカロリーが鶏モモ肉の中心部に伝わりやすく、冷凍効率が良いことが分かった。
【００３０】
次に、鶏モモ肉の中心温度が−５℃以下になる冷凍時間を比較する。食品（食材）の冷凍とは食品（食材）中の水分が凍結することをいい、一般に、食品（食材）に含まれる水分は−１℃あたりから凍り始め、−５℃程度でほぼ凍結するため、中心温度が−５℃以下になれば鶏モモ肉の冷凍が完了したことになるからである。
【００３１】
図５に示すように、実験１では、実験開始から３０分経過すると約−５℃になった。
実験２では、実験開始から４０分近く経過すると中心温度が−５℃になった。
【００３２】
このように、実験１は、冷凍時間を実験２より約１０分間短縮できた。よって、低音波Ｘを発生しながら鶏モモ肉を冷凍すると、超音波照射しながら鶏モモ肉を冷凍する場合より、冷凍時間を短縮でき、冷凍にかかるエネルギーやコストを低減できることが分かった。
【００３３】
次に、中心温度が−１℃〜−５℃の温度帯を通過する時間を比較する。食品（食材）に含まれる水分は、−１℃〜−５℃の温度帯を通過する間に氷結晶となり、この温度帯を通過する時間が長いと、氷結晶が大きくなり、食品（食材）の細胞が大きく破壊されるからである。
【００３４】
図５に示すように、実験１では、実験開始後から２０分経過したときに鶏モモ肉の中心温度が−１℃になり、実験開始から３０分経過すると約−５℃になった。よって、実験１は、中心温度が−１℃〜−５℃の温度帯を通過するのに約１０分間かかった。
実験２では、実験開始から２０分超経過したときに鶏モモ肉の中心温度が−１℃になり、実験開始から４０分近く経過すると中心温度が−５℃になった。よって、実験２は、中心温度が−１℃〜−５℃の温度帯を通過するのに１５分〜２０分間かかった。
【００３５】
このように、実験１は、中心温度が−１℃〜−５℃の温度帯を通過する時間が、実験２より５分〜１０分程度短い。よって、低音波Ｘを発生しながら鶏モモ肉を冷凍すると、超音波照射しながら冷凍する場合より、鶏モモ肉の中心部に存在する氷結晶が大きくなりにくく、鶏モモ肉の細胞破壊を抑制できることがわかった。
【００３６】
次に、鶏モモ肉の中心温度が−２０℃以下になる時間を比較する。食品は、冷凍温度が低い程、保存期間が長くなるが、コストがかかるため、食品を冷凍保存する際の世界的な冷凍基準温度は、１２ヶ月の保存が可能になる−１８℃以下とされているからである。
【００３７】
図５に示すように、実験１では、実験開始から５５分経過後に、中心温度が−２２℃になった。
実験２では、実験開始から７０分経過後に中心温度が−２０℃になった。
【００３８】
このように、実験１は、中心温度が冷凍基準温度に達する時間を、実験２より２０分近く短縮できた。よって、低音波Ｘを発生しながら鶏モモ肉を冷凍すると、超音波照射しながら鶏モモ肉を冷凍する場合より冷凍基準温度に達する時間を短くして、作業効率を向上させることが可能になる。
【００３９】
ここで、冷凍基準温度まで冷凍した実験１，２の鶏モモ肉を見ると、実験２の鶏モモ肉は、実験１の鶏モモ肉より冷凍焼けして変色していた。変色は、食材の細胞が破壊されて色成分を流出させることにより生じる。よって、低音波Ｘを発生しながら鶏モモ肉を冷凍すると、超音波照射しながら鶏モモ肉を冷凍する場合より、冷凍前の鶏モモ肉の品質を維持できることを視認できた。
【００４０】
次に、発明者は、低音波Ｘを発生しながら冷凍した食材２を解凍した場合に生じたドリップの量を測定する実験（以下「実験３」という。）と、超音波を照射しながら冷凍した食材２を解凍する場合に生じたドリップの量を測定する実験（以下「実験４」という。）を行った。ドリップは、食材２の細胞から色成分やうま味成分が流出したものであり、ドリップが少ないことは、食材２の品質が維持されていることを意味するからである。実験３，４では、ドリップが生じやすい鶏レバーを食材２の一例に使用した。実験３，４では、外気温を２５℃に設定し、冷凍した鶏レバーを自然解凍した。そして、発生したドリップの量をそれぞれ測定した。その結果、実験３で生じたドリップの量は、実験４で生じたドリップの量の約３分の２であった。よって、低音波Ｘを発生しながら冷凍した食材２は、超音波を照射しながら冷凍した食材２より、ドリップの量が少なく、冷凍前の品質が維持されることがわかった。
【００４１】
以上の通り、低音波Ｘを発生しながら食材２を冷凍すると、超音波を照射しながら食材２を冷凍する場合より、食材２の品質低下を抑制すると共に、冷凍時間を短縮できることが、実験により裏付けられた。
【００４２】
この理由を発明者は次のように考えている。低音波Ｘは、超音波より音圧が高い。そのため、図２に示すように、低音波Ｘは、超音波より、食材２の表面２３から深い位置まで届き、食材２の広範囲において水分２２と共振する。この水分２２の振動は、食材２の中心部２４へ向かって伝播する。そのため、冷風Ｙの熱が食材２の中心部に伝わりやすく、冷凍効率又は解凍効率が向上される。
また、食材２に含まれるほぼ全ての水分２２が、低音波Ｘと共振し、水分子同士の結合を分断されて細分化される。細分化された水分２２は、−１℃に達するまでは、図３に示すように配列された細胞２１の間を水分子が自由に移動する。このとき、細胞２１は、水分子の移動によって配列を整えられ、食材２の鮮度を復活させる。
上述のように、食材２に含まれるほぼ全ての水分２２が低音波Ｘと共振して、冷風Ｙの熱が食材２の中心部に存在する水分２２に伝わりやすい。そのため、食材２は、均一に熱伝達されて、氷結を開始する−１℃から氷結を完了させる−５℃の温度帯を通過する時間が短くて済み、すなわち、水分２２の氷結時間が短くなり、図４に示すように、氷結晶２２０が大きくなりにくい。しかも、食材２に含まれる水分２２は、氷結し始める前に、水分子同士の結合を細かく分断されているので、氷結晶２２０が大きくなりにくい。よって、食材２の細胞２１は、その周りに発生する氷結晶２２０に破壊されにくく、変色やドリップ発生量が抑制される。また、食材２は、氷結晶２２０が小さい大きさでほぼ均一にされ、細胞２１を変形させにくいので、劣化が抑制される。更に、食材２は、水分２２が細胞２１の間を移動しながら細胞２１の配列を整えた後に氷結するので、鮮度や味、形状、歯触りなどの品質が維持若しくは向上する。
【００４３】
これに対して、超音波は、低音波Ｘより音圧が低いので、食材２の表面付近までしか届かない。そのため、食材２は、表面２３付近の水分２２しか超音波と共振せず、その振動が中心部２４に存在する水分２２に伝わりにくい。よって、冷風Ｙの熱が食材２の中心部２４に伝わりにくく、冷凍効率が悪い。
また、冷凍効率が悪いことにより、食材２の中心部２４付近に存在する水分２２は、−１℃〜−５℃の温度帯を通過するのに時間がかかり、すなわち、氷結時間が長くなり、氷結晶を大きくしやすい。これに加え、食材２は、中心部２４付近に存在する水分が十分に振動せず、水分子同士の結合を細かく分断しないため、氷結晶が大きくなる。よって、図６に示すように、食材２の細胞２１は、大きい氷結晶２２１に圧迫されて破壊される。この細胞破壊により、食材２は、うま味成分や色成分が細胞から流出し、品質が低下する。
また、食材２は、冷凍時に水分２２の氷結晶２２１，２２２の大きさがまちまちになり、細胞２１が変形したり、図３に示す冷凍前の細胞２１の配列を図６に示すように乱されたりする。この細胞２１の変形、配列の乱れ等により、食材２の鮮度や味、形状、歯触り等の品質が低下する。
【００４４】
また、上記食材処理装置１では、食材２に含まれるほぼ全ての水分２２が低音波Ｘと共振するので、マイナスイオンＺを食材２全体に均一に浸透させることができる。そのため、従来の食材処理装置のように、負電圧を印加する負電圧印加装置を収容空間１２に設置する必要がない。よって、食材２を収容空間１２に出し入れする際に静電気が発生せず、食材２の取扱性が良い。
【００４５】
また、上記食材処理装置１では、低音波Ｘの周波数が５ヘルツ以上１００ヘルツ以下である。食材２は、例えば肉や魚であれば６割〜７割の水分を含み、青果であれば７割〜８割の水分を含む。この食材２に含まれる水分は、アミノ酸やミネラル等の栄養素を含む。そのため、食材２に含まれる水分２２の固有振動数は、水分２２に含まれる栄養素の種類や量によって異なる。大半の食材２に含まれる水分２２の固有振動数は、５ヘルツ以上１００ヘルツ以下の範囲に収まる。そこで、上記実施形態のように、低音波発生源３２が発生する低音波Ｘの周波数が５ヘルツ以上１００ヘルツ以下の場合には、大半の食材２に含まれる水分２２を低音波Ｘと共振させることができる。
【００４６】
ここで、発明者は、実験により、低音波Ｘの周波数は５ヘルツ以上１００ヘルツ以下に設定すると、大半の食材２の冷凍時間が、超音波照射しながら冷凍する場合の冷凍時間より短縮されることを、確認した。この実験から、低音波Ｘの周波数を５ヘルツ以上１００ヘルツ以下に設定すると、大半の食材２に含まれる水分２２が低音波Ｘとよく共振することが分かった。
【００４７】
また、本実施形態の食材処理ユニット３は、食材処理装置１の収容空間１２に着脱自在に取り付けられること、マイナスイオンＺを発生するマイナスイオン発生装置３１と、食材２に含まれる水分２２と共振する低音波Ｘを発生する低音波発生源３２とを有することを特徴とするので、既存の冷凍庫や解凍庫の収容空間１２に食材処理ユニット３を取り付ければ、上記食材処理装置１と同様の作用効果を既存の冷凍庫や解凍庫に安価に付加できる。
【００４８】
よって、本実施形態によれば、冷凍時の品質低下を抑制すると共に、冷凍時間を短縮できる食材処理装置１及び食材処理ユニット３を提供することができる。
【００４９】
尚、本発明は、上記実施形態に限定されることなく、色々な応用が可能である。
上記実施形態では、マイナスイオン発生装置３１と低音波発生源３２を収容ボックス３０に収容することにより食材処理ユニット３を設けたが、マイナスイオン発生装置３１と低音波発生源３２を別個に設けて食材処理ユニットとしても良い。
また、マイナスイオン発生装置３１が供給するマイナスイオンＺの量や低音波発生源３２が発生する低音波Ｘの周波数を制御する制御手段や、可変する可変手段を食材処理ユニット３に設けても良い。
【符号の説明】
【００５０】
１    食材処理装置
２    食材
３    食材処理ユニット
１２  収容空間
１４  冷風供給装置
２２  水分
３１  マイナスイオン発生装置
３２  低音波発生源
Ｘ    低音波
Ｙ    冷風
Ｚ    マイナスイオン
【図１】
2017062057.tif 000003
【図２】
2017062057.tif 000004
【図３】
2017062057.tif 000005
【図４】
2017062057.tif 000006
【図５】
2017062057.tif 000007
【図６】
2017062057.tif 000008